(57)【要約】【課題】表示装置の視認性を犠牲にせず、パソコンを使用しない作業の際にも天板上を広く使用できる机を提供する。【解決手段】天板１と、天板１を支持する支持ユニット２と、天板１の反使用端側において開閉可能に支持ユニット２に取り付けられて移動可能に平板型表示装置を収納する表示装置収納ユニット５とを備え、平板型表示装置を使用する場合に平板型表示装置を表示装置収納ユニット５から突出させた状態で天板上側の使用位置に位置させ得るものである。【選択図】図１
2004008554.tif 000002
【特許請求の範囲】
【請求項１】
天板と、
天板を支持する支持ユニットと、
天板の反使用端側において開閉可能に支持ユニットに取り付けられて移動可能に平板型表示装置を収納する表示装置収納ユニットとを備え、
平板型表示装置を使用する場合に平板型表示装置を表示装置収納ユニットから突出させた状態で天板上側の使用位置に位置させ得ることを特徴とする机。
【請求項２】
表示装置収納ユニットが、開かれた際に平板型表示装置を使用位置まで案内するとともに、閉じられた際に内部の収納位置に平板型表示装置を保持する移動支持機構を備えることを特徴とする請求項１記載の机。
【請求項３】
表示装置収納ユニットが、天板の反使用端側に位置する扉部材を備え、その扉部材がその両側縁部分に方形断面の補強部を備え、少なくともその補強部の対向する面に移動支持機構が取り付けられることを特徴とする請求項２記載の机。
【請求項４】
移動支持機構が、平板型表示装置を支持する支持部と、支持部を移動可能に案内する摺動案内部とを備えてなることを特徴とする請求項２又は３記載の机。
【請求項５】
支持部が、天板の厚み方向に延びその上端に平板型表示装置が取り付けられる縦支柱と、縦支柱の下端において横方向に延び両端が摺動案内部に支持される横支柱とからなることを特徴とする請求項４記載の机。
【請求項６】
摺動案内部が、表示装置収納ユニットに固定される基端レールと、基端レールに進退移動可能に取り付けられ支持部の横支柱を支持する先端レールとからなることを特徴とする請求項４又は５記載の机。
【発明の詳細な説明】
【０００１】
【発明の属する技術分野】
本発明は、例えば液晶表示装置等の平板型表示装置を収納可能に支持する机に関するものである。
【０００２】
【従来の技術】
従来、会社や学校で使用している机で、例えばパソコン本体ＰＣ、液晶表示装置等の表示装置、キーボード、マウス等からなるデスクトップ型のパーソナルコンピュータ（以下、パソコンと称する）を使用する場合、表示装置を机の天板上に載置し、パソコン本体を天板上あるいは下に配置して使用する形態が一般的である。
【０００３】
【発明が解決しようとする課題】
ところが、このような構成のものであると、パソコンを使用しない作業の場合、天板上に載置した表示装置やキーボード等が比較的広い面積を専有することになり、書類や教科書等を広げる部分が少なくなり、作業がし難い状況が生じた。このような状況に鑑みて、キーボード等を引き出し内に収納したり、天板を開閉可能なものにして、開いた天板の裏側に表示装置を取り付けることにより、パソコンを使用しない作業の際に天板を広く使用できるようにしたものが知られている。また、天板上にガラスで閉じられた窓部分を設け、表示装置を天板下に配置し、表示装置の表示画面をその窓部分を介して確認できるようにしたもの等も知られている。
【０００４】
しかしながら、前者の構成のものにあっては、パソコンを使用する際に、それまで天板上においていた書類や教科書等を一旦片づけ、天板を開いてパソコンを使用できる状態にしなければならず、作業性が低下した。また、後者の構成のものでは、表示装置の表示画面を窓部分を通して見るようにすると、パソコンを使用しない作業の場合に、天板上は広くなるものの、窓部分のガラスによる反射、あるいは液晶表示装置の場合には有効視野角が狭いために、画像が見辛い場合が生じた。
【０００５】
そこで本発明は、以上のような問題に鑑みて、表示装置の視認性を犠牲にせず、パソコンを使用しない作業の際にも天板上を広く使用できる机を提供するものである。
【０００６】
【課題を解決するための手段】
すなわち、本発明の机は、天板と、天板を支持する支持ユニットと、天板の反使用端側において開閉可能に支持ユニットに取り付けられて移動可能に平板型表示装置を収納する表示装置収納ユニットとを備え、平板型表示装置を使用する場合に平板型表示装置を表示装置収納ユニットから突出させた状態で天板上側の使用位置に位置させ得ることを特徴とする。
【０００７】
このような構成によれば、例えば液晶表示装置のような平板型表示装置は、支持ユニットに開閉可能に取り付けられた表示装置収納ユニットに、移動可能に収納される。平板型表示装置の使用時にあっては、平板型表示装置を表示装置収納ユニットから天板上面近傍の使用位置まで移動させて突出させ、その使用位置に位置させる。したがって、使用時にのみ天板上に平板型表示装置を表示装置収納ユニットから持ち出して使用位置に位置させることが可能であるので、平板型表示装置を使用しない場合に、天板上を広く使用することが可能になる。また、平板型表示装置は、使用時にあっては、天板上側に位置して使用者に直接見えるものとなるので、その表示画面の視認性の低下を防止することが可能になる。
【０００８】
平板型表示装置の収納及びセッティングを容易にするためには、表示装置収納ユニットが、開かれた際に平板型表示装置を使用位置まで案内するとともに、閉じられた際に内部の収納位置に平板型表示装置を保持する移動支持機構を備えるものが好ましい。移動支持機構の取付を容易にするためには、表示装置収納ユニットが、天板の反使用端側に位置する扉部材を備え、その扉部材がその両側縁部分に方形断面の補強部を備え、少なくともその補強部の対向する面に移動支持機構が取り付けられるものが挙げられる。
【０００９】
このような移動支持機構としては、平板型表示装置を支持する支持部と、支持部を移動可能に案内する摺動案内部とを備えるものが挙げられる。具体的には、支持部が、天板の厚み方向に延びその上端に平板型表示装置が取り付けられる縦支柱と、縦支柱の下端において横方向に延び両端が摺動案内部に支持される横支柱とからなるものが好ましい。また、摺動案内部が、表示装置収納ユニットに固定される基端レールと、基端レールに進退移動可能に取り付けられ支持部の横支柱を支持する先端レールとからなるものが好適であるこのように構成することにより、支持部が摺動案内部により案内されて移動することにより、平板型表示装置を収納位置と使用位置とに移動させることができる。
【００１０】
【発明の実施の形態】
以下、本発明の一実施形態を、図１〜９を参照して説明する。
【００１１】
この実施の形態の家具である机１００は、天板１と、天板１を支持する支持ユニット２を構成する脚ユニット２１と、支持ユニット２の一部をなし左右の脚ユニット２１同士を連結する第一横架材３及び第二横架材４と、平板型表示装置である例えば液晶ディスプレイＤＳＰを引き出し可能に収納するオプションユニットである表示装置収納ユニット５と、パソコン本体ＰＣを収納するオプションユニットであるパソコン本体収納ユニット６と、コンセントユニット７と、脚ユニット２１間にわたる長手寸法の棚８とを備えている。図１は、液晶ディスプレイＤＳＰが天板１の上面近傍の使用位置にある状態を示している。なお、この実施の形態において、方向を示す場合、天板１の反使用端方向を前方とし、天板１の使用端方向を後方とする。
【００１２】
天板１は、２名がパソコンを操作し得る大きさの平面視ほぼ長方形形状をしており、反使用端側に、液晶ディスプレイＤＳＰを支持する後述するパネル支柱体５５の縦支柱５５ｂが挿入される切欠１ａが設けてある。
【００１３】
脚ユニット２１は、円弧状に湾曲した丸パイプ材からなる基台部２１ａと、その基台部２１ａに固定される略逆三角形状の縦支持部２１ｂと、縦支持部２１ｂで囲まれた空間を閉じるように取り付けられる、例えば複数の貫通孔の設けられたパンチングメタル製の脚パネル板２１ｃとからなる。基台部２１ａは、下端側を水平方向に切断することによりその接地部分が楕円形状をしており、その接地部分の開口に平板を固定して底面が形成してある。縦支持部２１ｂは、基台部２１ａの前端近傍に下端が固定される前パイプ部材２１ｂａと、その前パイプ部材２１ｂａより後側に下端が固定され、上端が基台部２１ａの後端上方位置まで延びる後パイプ部材２１ｂｂと、前パイプ部材２１ｂａと後パイプ部材２１ｂｂとの上端を連結する横パイプ部材２１ｂｃと、その横パイプ部材２１ｂｃに横パイプ部材２１ｂｃの上面から浮かせた状態で取り付けられる天板固定板２１ｂｄとからなる。前パイプ部材２１ｂａは、床面に対して、前方向に傾斜した状態で基台部２１ａに固定され、後パイプ部材２１ｂは、前パイプ部材２１ａとは逆に後方向に傾斜した状態で基台部２１ａに固定される。
【００１４】
第一横架材３と第二横架材４とは、脚ユニット２１を連結するもので、机１００の奥行き方向において異なる位置で、かつ異なる高さ位置において机１００の幅方向に平行に延びている。第一横架材３は、天板１の固定部となる脚ユニット２１の横パイプ部材２１ｂｃの長手方向の中央よりやや前寄りの位置、つまり天板１の反使用端と使用端との間のほぼ中央の位置に対応する位置に配置で横パイプ部材２１ｂｃ同士を連結する。この第一横架材３は、断面形状が正方形の角パイプ部材の上面に、天板固定板２１ｂｄ間の距離にほぼ等しい長さで天板１下面に接触する角パイプ部材が固定された二重構造をしている。この第一横架材３と天板１の反使用端側との間の空間には、第一横架材３のような部材は存在せず、机１００の前側からの表示装置収納ユニット５やパソコン本体収納ユニット６等の取付作業が容易なものになるようにしている。
【００１５】
第二横架材４は、第一横架材３と同様の角パイプ部材からなり、第一横架材３より反使用端側の位置、具体的には前パイプ部材２１ｂａの下端近傍同士を連結する。第二横架材４は、その前面を前パイプ部材２１ｂａの中心軸とほぼ平行にして固定してある。このため、第二横架材４の前面が前方に傾いた状態となっており、その上面も、前側に下がるようにして傾斜している。
【００１６】
表示装置収納ユニット５は、左右の側板５１と、両側板５１を連結する後板５２と、後板５２の下端部分において回転軸により回転可能に取り付けられる扉板５３と、扉体５３に取り付けられる３本のレール部材５４と、レール部材５４に案内されて扉板５３の上下方向に移動可能に取り付けられるパネル支柱体５５と、パネル支柱体５５を上方向にばね力を付与する一対の定荷重ばね体５６とを備えている。この実施の形態では、移動支持機構を、摺動案内部を構成するレール部材５４、及び支持部を構成するパネル支柱体５５により構成している。なお、扉板５３の急激な開き動作を抑制するために、図示しないガススプリングがロッドを上方に突出するようにして扉板５３に取り付けられるとともに、側板５１に回転可能に取り付けられるステー（図示しない）がそのガススプリングのロッドの上端に連結されている。
【００１７】
後板５２は、その下縁部に、第二横架材４に係り合う下関連部である下向きのチャンネル部５２ａを、その上縁部に、上側に突出して設けられて装着時に第一横架材３に密着する、つまり第一横架材３に係り合う上関連部である固定壁部５２ｂを備えているとともに、扉板５３を取り付けるための回転軸を支持する軸取付部５２ｃを、回転軸を側板５１の前縁より前側に突出した状態に有している。チャンネル部５２ａ及び固定壁部５２ｂには、固定用のボルトを挿入するための取付孔（図示しない）が設けてある。また、後板５２は、表示装置収納ユニット５が天板１下に配置された場合に、下肢空間を広くするために、その下端部が前方に向かって折曲してある。そして、この後板５２の両側に側板５１を固定し、側板５１と後板５２とで囲まれた空間を扉板５３で閉鎖することにより、液晶ディスプレイＤＳＰを収納する空間を形成している。
【００１８】
扉板５３は、横方向の両側に、折曲加工により形成された角筒状の補強部５３ａを有し、その補強部５３ａの対向する内面に、レール部材５４が固定してあるとともに、横方向の中央位置に３本目のレール部材５４が固定してある。また、後述するパネル支柱体５５を静止させるラッチ部材（図示しない）が、一方の補強部５３ａの上端近傍に取り付けてある。レール部材５４は、例えばサスペンションレール機構式のスライドレールで、補強部５３ａ及び扉板５３の幅方向の中央に固定される基端レール５４ａと、基端レール５４ａにボールベアリング５４ｂを介して摺動移動可能に取り付けられる先端レール５４ｃとからなる。そして、先端レール５４ｃの下端にパネル支柱体５５の横支柱５５ａが固定される。先端レール５４ｃは、横支柱５５ａの高さ寸法と同じ長さ寸法にしてあり、横支柱５５ａがもっとも高く引き上げられた場合に、その上端が基端レール５４ａの上端から突出しない。この扉板５３は、側板５１に取り付けられたラッチ機構により静止されることで、扉板５３が側板５１の前縁近傍に位置する閉じた状態になる。
【００１９】
パネル支柱体５５は、両端及び幅方向の中央がそれぞれレール部材５４の先端レール５４ｃに固定される横支柱５５ａと、その横支柱５５ａの長手方向の中央に、横支柱５５ａと９０°の角度で固定される縦支柱５５ｂと、縦支柱５５ｂの上端に設けられて、液晶ディスプレイＤＳＰを固定するとともに、液晶ディスプレイＤＰＳの前方に取り付けられて液晶ディスプレイＤＰＳの背面を隠すモニタパネルＢＢを取り付ける取付台座５５ｃとからなる。横支柱５５ａの一方の端部近傍の上面には、パネル支柱体５５を上方に移動させ、その移動した位置に静止させるために、ラッチ部材と係り合うストッパ５５ｄが取り付けてある。モニタパネルＢＢの上隅には、液晶ディスプレイＤＳＰを引き上げる際に持つ引き上げ用パッドＰＰが取り付けてある。
【００２０】
定荷重ばね体５６は、横支柱５５ａの両端近傍において、横支柱５５ａの内側に巻き取りドラム５６ａが取り付けられ、横支柱５５ａと扉板５３との間に可撓性を有する帯状のばね部材５６ｂが引き出されるようになっている。そして、ばね部材５６ｂの上端は、扉板５３の上縁近傍に固定される。
【００２１】
パソコン本体収納ユニット６は、縦長の直方体形状のパソコン本体ＰＣを２台収納できる容積を有している。このパソコン本体収納ユニット６は、ほぼ直方体形状の箱体６１と、天板１の使用端側に取り付けられて箱体６１の側面まで開く両開きの扉６２と、その箱体６１の底面に固定されて下関連部を構成する２枚の下部受板６３と、箱体６１の上面に固定されて上関連部を構成する上部受板６４とからなる。下部受板６３は、箱体６１の底面と密着して固定される連結部６３ａと、連結部６３ａに連続し第二横架材４の上面に密着する上面部６３ｂと、その上面部６３ｂに連続して第二横架材４の前面に密着する前面部６３ｃとからなる。この下部受板６３は、箱体６１の底面の幅方向の両端部に例えば４本のボルトＢＬＴで取り付けられる。また、上部受板６４は、箱体６１の上面に密着して固定される連結部６４ａと、その連結部６４ａから延びて第一横架材３の前面に密着する垂直壁部６４ｂと、垂直壁部６４ｂの高さ方向の中央位置から連結部６４ａとは逆方向に水平に延びて第一横架材３の下面と密着する水平部６４ｃと、その水平部６４ｃの後縁部分に形成されて、装着位置においてパソコン本体収納ユニット６の前傾時に第一横架材３と接触する転倒防止壁部６４ｄとを備えている。この転倒防止壁部６４ｄと垂直壁部６４ｂとの距離は、第一横架材３の奥行きより大きくしてある。
【００２２】
コンセントユニット７は、天板１とパソコン本体収納ユニット６との間の空間に取り付けられる。このコンセントユニット７は、電源コンセントと、ＬＡＮ（ローカルエリアネットワーク）のための情報コンセントとを備えている。
【００２３】
このような構成において、表示装置収納ユニット５は、図６に示すように、扉板５３を閉じた状態で、机１００の前側から後板５２の下縁部のチャンネル部５２ａを第二横架材４に係り合わせるとともに、後板５２の上縁部の固定壁部５２ｂを第一横架材３の前面に密着させて取り付ける。この状態において、少なくとも固定壁部５２ｂを固定しない状態では、表示装置収納ユニット５が第二横架材４に載せられた状態となっており、表示装置収納ユニット５は天板１の左右方向に、つまり第一及び第二横架材３，４に沿って摺動移動させることができる。したがって、チャンネル部５２ａ及び固定壁部５２ｂをそれぞれ、第一横架材３及び第二横架材４に固定する際の位置合わせを容易にすることができる。この後、表示装置収納ユニット５の後板５２の固定壁部５２ｂとチャンネル部５２ａとに設けられた取付孔にボルトを挿入して固定する。
【００２４】
パソコン本体収納ユニット６は、図８〜９に示すように、前側から机１００に装着するもので、最初に、箱体６１の上面に固定された上部受板６４の垂直壁部６４ｂと水平部６４ｃとを第一横架材３にほぼ接触させる。これとほぼ同時に、箱体６１の底面に固定された下部受板６３を、第二横架材４に密着させる。これにより、パソコン本体収納ユニット６は、第一横架材３と第二横架材４とにより支持される状態となる。この状態では、パソコン本体収納ユニット６の重心は、第二横架材４より後側に位置しているので、上部受板６４の垂直壁部６４ｂが強く第一横架材３に押し付けられる状態になるので、パソコン本体収納ユニット６を固定しなくともパソコン本体収納ユニット６が前側に倒れてくることはない。
【００２５】
また、上記の状態では、上部受板６４が第一横架材３に固定されていないので、パソコン本体収納ユニット６は第一横架材３及び第二横架材４に沿って天板１の左右方向に摺動移動が可能な状態である。したがって、パソコン本体収納ユニット６を所定の取付位置まで移動させることができ、位置合わせを容易にすることができる。この後、上部受板６４を第一横架材３に固定することにより、パソコン本体収納ユニット６が取付位置に固定される。
【００２６】
パソコンを使用するに際しては、まず、表示装置収納ユニット５の扉板５３を閉じるためのラッチ機構を解放して、扉板５３を開く。開いた状態を、図５に二点鎖線で示す。扉板５３は、ガススプリングにより天板１前側にゆっくりと開き、ステーが延び切った位置で静止する。扉板５３を開いた後、図５に点線で示す収納位置から、扉板５３が開くことによって前方に持ち出された液晶ディスプレイＤＳＰの背面に取り付けられたモニタパネルＢＢの上隅の引き上げ用パッドＰＰを持って引き上げる。このように、モニタパネルＢＢを引き上げるので、液晶ディスプレイＤＳＰには引き上げ力がかからず、液晶ディスプレイＤＳＰを劣化させることがない。また、この引き上げ動作の際、巻き取りドラム５６ａからばね部材５６ｂが繰り出され、定荷重ばね体５６のばね力がパネル支柱体５５に作用するので、少ない力で容易に液晶ディスプレイＤＳＰを引き上げることができる。
【００２７】
そして、パネル支持体５５の横支柱５５ａに取り付けられたストッパ５５ｄが扉板５３に取り付けられたラッチ部材に係り合う位置まで引き上げると、図４に示すよう、液晶ディスプレイＤＳＰが開かれた扉板５３の後方から突出した状態となる。この状態で、ラッチ部材とストッパ５５ｄとが係り合うことにより、パネル支柱体５５が降下しない状態となる。この後、扉板５３を天板１側に回転移動させると、パネル支柱体５５の縦支柱５５ｂが天板１の切欠１ａに入り込み、扉板５３を閉めることができる。
【００２８】
これに対して、液晶ディスプレイＤＳＰを表示装置収納ユニット５内に収納する場合は、まず、扉板５３を開く。次に、パネル支柱体５５のストッパ５５ｄとラッチ部材との係り合いつまりラッチを解除する。この後、液晶ディスプレイＤＳＰを押し下げると、定荷重ばね体５６の上向きの力がパネル支柱体５５に作用しているので、パネル支柱体５５は急激に降下することなく、押し下げる力に応じてパネル支柱体５５が降下し、よって液晶ディスプレイＤＳＰが降下する。そして、パネル支柱体５５は、表示装置収納ユニット５内の収納位置において停止する。この後、扉板５３を天板１の反使用端側に向かって移動させると、ガススプリングが収縮して扉板５３が閉まる。
【００２９】
このように、液晶ディスプレイＤＳＰは、定荷重ばね体５６のばね力に補助され、しかも３本のレール部材５４により案内されるため、少ない引き上げ力で円滑に液晶ディスプレイＤＳＰを天板１の反使用端近傍の上方に位置させることができる。したがって、煩雑な作業をすることなく液晶ディスプレイＤＳＰを使用位置にセットすることができる。また、この使用位置においては、液晶ディスプレイＤＳＰを直視することができるので、表示画面の視認性を低下させることを防ぐことができる。一方、収納に際しては、定荷重ばね体５６の上向きのばね力がパネル支柱体５５に作用しているので、液晶ディスプレイＤＳＰを降下させる際に急激に降下することなく収納位置に到達するので、片づける際に降下する液晶ディスプレイＤＳＰを支持し続けなくとも安全に、しかも短時間で液晶ディスプレイＤＳＰを片づけることができる。
【００３０】
また、表示装置収納ユニット５やパソコン本体収納ユニット６は、支持ユニット２の第一横架材３及び第二横架材４により支持されて天板１下に装着されるので、作業が容易になる。また、パソコン本体ＰＣと液晶ディスプレイＤＳＰやキーボードなどの接続作業にあっても、机１００の前側から行えるので、パソコンのセッティングを迅速にすることができる。
【００３１】
なお、本発明は以上説明した実施の形態に限定されるものではない。
【００３２】
その他、各部の具体的構成についても上記実施形態に限られるものではなく、本発明の趣旨を逸脱しない範囲で種々変形が可能である。
【００３３】
【発明の効果】
本発明によれば、平板型表示装置は、開閉可能な表示装置収納ユニットに収納され、その収納位置から持ち出して天板上面近傍の使用位置に位置させることができるので、収納している間は天板上に平板型表示装置が存在せずに天板を広く使用することができる。加えて、平板型表示装置が使用位置にある場合には、ガラスなどの透明部材を介することなく平板型表示装置を使用者が直接見ることとなるので、その表示画面の視認性を高くすることができる。
【図面の簡単な説明】
【図１】本発明の実施の形態の斜視図。
【図２】同実施の形態の支持ユニットの斜視図。
【図３】同実施の形態の正面図。
【図４】同実施の形態の液晶ディスプレイを引き出した状態を示す斜視図。
【図５】同実施の形態の表示装置収納ユニットの取付状態を示す断面図。
【図６】同実施の形態の表示装置収納ユニットと第一及び第二横架材との関係を示す要部拡大側面図。
【図７】同実施の形態の液晶ディスプレイが収納位置にある場合の移動支持機構を示す斜視図。
【図８】同実施の形態のパソコン本体収納ユニットの取付状態を示す断面図。
【図９】同実施の形態のパソコン本体収納ユニットの斜視図。
【符号の説明】
１…天板
２…支持ユニット
３…第一横架材
４…第二横架材
５…表示装置収納ユニット
６…パソコン本体収納ユニット
２１…脚ユニット
５３…扉板
５３ａ…補強部
５４…レール部材
５４ａ…基端レール
５４ｃ…先端レール
５５…パネル支柱体
５５ａ…横支柱
５５ｂ…縦支柱
ＤＳＰ…液晶ディスプレイ
【図１】
2004008554.tif 000003
【図２】
2004008554.tif 000004
【図３】
2004008554.tif 000005
【図４】
2004008554.tif 000006
【図５】
2004008554.tif 000007
【図６】
2004008554.tif 000008
【図７】
2004008554.tif 000009
【図８】
2004008554.tif 000010
【図９】
2004008554.tif 000011